(57)【要約】【課題】衛生面に優れ且つロール紙を容易に引出すことができるロール紙ホルダを提供すること。【解決手段】ロール紙ホルダ１０は、壁体Ｗに取付けられ上面が開口され且つ内部にロール紙本体１００を保持するホルダ本体１２と、このホルダ本体１２に取り付けられると共に当該ホルダ本体１２のロール紙引出し方向先端領域にロール紙引き出し用のガイド部１４Ａを有するロール紙ガイド部材１４と、ホルダ本体１２の先端領域Ｔ２に設けられガイド部１４Ａを通過したロール紙１０１を切断する切断刃部１６Ａを有するロール紙切断部材１６と、を備え、切断刃部１６Ａはロール紙切断部材１６のロール紙引き出し側端部に設けられ、ロール紙ガイド部材１６の先端領域Ｔ１とホルダ本体１２の先端領域Ｔ２との間に間隙部Ｓが設けられている。【選択図】図１
2020031945.tif 000002
【特許請求の範囲】
【請求項１】
壁体に取付けられると共に上面が開口され且つ内部にロール紙本体を回転自在に保持するホルダ本体と、
このホルダ本体に取り付けられると共に当該ホルダ本体のロール紙引出し方向先端領域にロール紙引き出し用のガイド部を有するロール紙ガイド部材と、
前記ホルダ本体の先端領域に設けられ前記ガイド部を通過した前記ロール紙を切断する切断刃部を有するロール紙切断部材と、を備えたロール紙ホルダであって、
前記切断刃部は前記ロール紙切断部材の前記ロール紙送出し側端部に設けられ、
前記ロール紙ガイド部材の先端領域と前記ホルダ本体の先端領域との間に間隙部を設けたことを特徴とするロール紙ホルダ。
【請求項２】
請求項１に記載のロール紙ホルダにおいて、
前記ホルダ本体を、薄板部材で構成された本体背面部と、この本体背面部の下端部から前記先端領域に向かって延び且つ前記本体背面部との間で鋭角に折り曲げ形成された傾斜底面部とを有する形状とし、
前記ロール紙ガイド部材を線状部材で形成したことを特徴とするロール紙ホルダ。
【請求項３】
請求項１または請求項２に記載のロール紙ホルダにおいて、
前記ロール紙切断部材を、当該ロール紙切断部材の前記切断刃部が前記傾斜底面部の先端から突出するように前記傾斜底面部の先端領域に取付けると共に、前記ロール紙切断部材の外周の少なくとも幅方向両側を円弧状に形成したことを特徴とするロール紙ホルダ。
【請求項４】
請求項１ないし請求項３の何れか１つに記載のロール紙ホルダにおいて、
前記傾斜底面部の前記先端領域は、前記ロール紙ガイド部材の先端領域から離れる方向に折り曲げられ、この折り曲げ部に前記ロール紙切断部材が取り付けられていることを特徴とするロール紙ホルダ。
【請求項５】
請求項３または請求項４に記載のロール紙ホルダにおいて、
前記ロール紙切断部材の幅寸法は前記傾斜底面部の前記先端領域の幅寸法より大きな寸法に形成されると共に、前記幅方向両側に前記傾斜底面部の幅方向両端部に沿った直線部が形成され、この直線部に前記円弧状外周の切断刃が連続していることを特徴とするロール紙ホルダ。
【請求項６】
請求項１ないし請求項５の何れか１つに記載のロール紙ホルダにおいて、
前記本体背面部と傾斜底面部との交点の折り曲げ部からそれぞれ前記本体背面部と傾斜底面部との端部側に向かう途中までの表面に、使用されて外径が小さくなった前記ロール紙本体の外周部と接触し且つ当該ロール紙本体から引出すロール紙の引き出し力を抑制する摩擦部材を設けたことを特徴とするロール紙ホルダ。
【請求項７】
請求項１ないし請求項６の何れか１つに記載のロール紙ホルダにおいて、
前記ホルダ本体と、このホルダ本体を前記壁体に取付ける本体取付け部材とを備えて構成したことを特徴とするロール紙ホルダ。
【請求項８】
請求項７に記載のロール紙ホルダにおいて、
前記本体取付け部材の幅方向両端部には、前記ホルダ本体の前記本体背面部をスライド自在にガイドするガイド溝が上下方向にわたって形成され、
前記本体背面部を前記ガイド溝に係合させたとき前記本体背面部に予め形成されている係合部が前記ガイド溝の上端に当接することを特徴とするロール紙ホルダ。
【発明の詳細な説明】
【技術分野】
【０００１】
本発明は、ロール紙ホルダに関し、より詳しくは、病院等の医療施設で使用されると好適なトイレットペーパー用のロール紙ホルダに関する。
【背景技術】
【０００２】
トイレットペーパー用のロール紙は、一般的に、芯となる紙筒にロール紙が巻回された形態をしている（以下、このロール紙が巻回された形態を「ロール紙本体」とする）。そして、このロール紙の使用に先立って、使用者がロール紙本体をロール紙ホルダにセット（設置）することになる。
【０００３】
ここで、通常、ロール紙ホルダは、壁に取り付けられる本体背面板とこの本体背面板の両側から延び、ロール紙本体を支持する心棒支持用側面板とを備えたホルダ本体と、ホルダ本体の上面後部を軸にして開閉自在に取り付けられロール紙切取り板として利用される蓋とを備えている。
そして、このような構成のロールシート保持切断装置が知られている（例えば、特許文献１参照）。
【０００４】
このようなロールシート保持切断装置では、ロール紙本体がセットされる場合、まず、一方の手でロール紙本体が把持されると共に他方の手でロール紙ホルダの蓋が持ち上げられ、最後に、ロール紙本体が挿入されてセットされる。
【０００５】
また、ロール紙を引き出して切断する場合には、一方の手で上記蓋部材が持ち上げられ、他方の手でロール紙の先端部分が掴まれ、使用者が必要とする量だけロール紙が引き出され、続いて蓋を持ち上げた一方の手を用いて蓋でロール紙が抑え付けられ、ロール紙を引き出したもう一方の手でロール紙が引っ張られて、上記必要分のロール紙が切り取られる。
【０００６】
これに対して、蓋が取り付けられていないロール紙ホルダが提案されている（例えば、特許文献２参照）。
この特許文献２に開示されたロール紙ホルダでは、特許文献１に開示されたロールシート保持切断装置のように蓋を備えた構成のロール紙ホルダが、一方の手で蓋部材を持ち上げ、他方の手でロール紙を引き出し、一方の手で蓋部材を抑えておいて他方の手で必要分のロール紙を切り取るため、作業が面倒である等の課題を解決しようとするもので、蓋がなくても容易に引出すことができ、また、使用されてロール紙本体が小さくなった場合でも容易に引出せるように構成したものである。
そして、この特許文献２に開示されたロール紙ホルダでは、ホルダ本体が、背面部と傾斜底面部と、これらの背面部と傾斜底面部とにわたり一体的に設けられた側面部を備えて構成され、傾斜底面部の先端部に側面部に連続する前面壁が設けられ、この前面壁の上部に、ロール紙を引き出す際にそのロール紙をガイドする引出しガイド部材が設けられた構成となっている。
【先行技術文献】
【特許文献】
【０００７】
【特許文献１】特開平９−２８６１５号公報
【特許文献２】特許第６０７２９６４号公報
【発明の概要】
【発明が解決しようとする課題】
【０００８】
ところで、病院等の医療施設では、各種の細菌等により院内感染が発生することがあり、それにより、最悪の場合、入院患者等が死亡することもある。
特に、最近では、耐性菌といわれる抗生物質に耐性のある強い菌が生まれ、その耐性菌による院内感染で複数の死者が出た、と言うニュースが全国各地で聞かれるようになってきており、その耐性菌が新たな脅威となりつつある。
【０００９】
そのため、耐性菌に対する薬や治療法は勿論のこと、使用する各種の機器等の見直し等の再検討が必須となっている。例えば、食器やトイレットペーパー用のホルダ等の使用器具に至るまで、衛生面での管理の徹底化が図られるようになっている。
特に、トイレットペーパー用のホルダの場合、例えば、耐性菌に限らず、何らかの菌保有者がロール紙を引き出す際に、ロール紙ホルダの本体側面部や蓋部等に手を触れるため、その菌がそれらの本体側面部や蓋部等に付着する可能性がある。そして、付着した場合、その菌が、トイレを使用した他人に感染するおそれがある。
【００１０】
しかしながら、特許文献１に開示されたロールシート保持切断装置では、上述のように、引出し作業が面倒であり、また引き出しが容易でない、と言う課題がある他、使用時等の衛生面での考慮についての記載は何もなされていない。
すなわち、ホルダのケース体にロール紙を収容する際、ロール紙を引き出して切断する際等、使用者が蓋を持ち上げたり、押えたりして行っている。
そのため、このようなロールシート用のホルダが病院等の医療施設に設置されている場合、例えば、何らかの菌を持った入院患者がトイレを使用するとき、ケース体、蓋、切断部等に触れてしまうので、何らかの菌がそれらの各部位に付着するおそれがあり、付着した場合、その菌が、トイレを使用した他人に感染し、院内感染につながるおそれがある。
【００１１】
また、特許文献２に開示されたロール紙ホルダでは、蓋が設置されておらず、ホルダ本体内にロール紙が簡単にセットされ、ロール紙先端部の引き出しも容易な構成とされているが、使用時等の衛生面での考慮についての記載は何もなされていない。
すなわち、ロール紙はロール紙ガイド部材の上端部を経由して引出されるが、このロール紙ガイド部材は側面版の前部に形成された前面傾斜板で構成されている。
そして、ロール紙の引き出しは、ロール紙ガイド部材の上端部とロール紙本体の外周部との隙間に指を入れて、ロール紙の端部を摘んで引き出して行っているが、このとき、どうしても、親指がロール紙ガイド部材の前面傾斜板部に触れてしまう。
そのため、このロール紙ホルダが病院等の医療施設に設置されている場合、例えば、何らかの菌を抱えた入院患者がトイレを使用するとき、ロール紙ガイド部材等に触れてしまうので、何らかの菌がそれらの各部位に付着するおそれがあり、付着した場合、その菌が、トイレを使用した他人に感染し、院内感染につながるおそれがある。
【００１２】
さらに、特許文献２に開示されたロール紙ホルダでは、ホルダ本体がプラスチック等の樹脂製とされており、ある程度の厚さが必要とされることから、全体の重量が重くなるという問題がある他、ホルダ本体の製作が金型を使用して行われるので、多大な費用が掛かり、経済面でも大きな負担となる、という問題もある。
【００１３】
（本発明の目的）
本発明の目的は、上記各課題を解決するために提案されたものであり、衛生面に優れ且つロール紙を容易に引出すことができるロール紙ホルダを提供することである。
【課題を解決するための手段】
【００１４】
上記の目的を達成するために、本発明に係るロール紙ホルダは、壁体に取付けられると共に上面が開口され且つ内部にロール紙本体を回転自在に保持するホルダ本体と、このホルダ本体に取り付けられると共に当該ホルダ本体のロール紙引出し方向の先端領域にロール紙引き出し用のガイド部を有するロール紙ガイド部材と、前記ホルダ本体の先端領域に設けられ前記ガイド部を通過した前記ロール紙を切断する切断刃部を有するロール紙切断部材と、を備えたロール紙ホルダであって、
前記切断刃部は前記ロール紙切断部材の前記ロール紙送出し側端部に設けられ、
前記ロール紙ガイド部材の先端領域と前記ホルダ本体の先端領域との間に間隙部を設けたことを特徴とする。
【発明の効果】
【００１５】
本発明のロール紙ホルダによれば、ロール紙ガイド部材の先端領域と、ホルダ本体のロール紙引出し方向先端領域との間に間隙部が設けられ、ロール紙切断部材の切断刃部がホルダ本体の先端領域に設けられているので、引出されたロール紙の先端部を切断した後、次の先端部を引き出す際に、間隙部に指を差込み、垂れ下がっているロール紙の先端部の表裏面を、例えば、人差し指と中指とで挟み込んで、ロール切断部材側に簡単に引出すことができる。
このように、ホルダ本体やガイド部等のどこにも触れずにロール紙を引き出すことができるので、このようなロール紙ホルダを病院等の医療施設に設置した場合、例えば、何らかの菌を保有する入院患者がトイレを使用するときでも、何らかの菌がそれらの各部位に付着するおそれがなくなる。その結果、衛生面に優れたロール紙ホルダとして、医療施設等に提供することができる。
【図面の簡単な説明】
【００１６】
【図１】本発明に係るロール紙ホルダの第１実施形態を示す全体斜視図である。
【図２】図１のII−II線矢視に沿った断面図である。
【図３】図２に示す状態からロール紙が使用されて残り少なくなったロール紙本体が設置されている状態を示す断面図である。
【図４】図２におけるロール紙引き出し方向先端部の詳細を示す拡大図であり、同図（Ａ）はロール紙が引出された状態、同図（Ｂ）は引出されたロール紙が切断された状態を示す図である。
【図５】図４におけるＶ矢視図であり、同図（Ａ）は円弧状部と直線状部とに切断刃部が形成されている場合、同図（Ｂ）は円弧状部のみに切断刃部が形成されている場合を示す状態図である。
【図６】ホルダ本体の係合部にロール紙ガイド部材を取り付ける際の状態を示し、図１のａ部拡大詳細図である。
【図７】前記第１実施形態のロール紙ホルダからロール紙を引き出す機構の原理を示す説明図である。
【図８】本発明に係るロール紙ホルダの第２実施形態を示す本体斜視図である。
【図９】同図（Ａ）は、第２実施形態のホルダ本体を壁体に取付ける際に使用される本体取付用基板を示す全体斜視図であり、同図（Ｂ）は、本体取付用基板の変形形態を示す全体斜視図である。
【図１０】第２実施形態のホルダ本体と本体取付用基板との関係を示し、同図（Ａ）は、ホルダ本体の全体縦断面図、同図（Ｂ）は、本体取付用基板が壁体に取り付けられた状態を示す縦断面図である。
【図１１】第２実施形態のホルダ本体が本体取付用基板を介して壁体に取付けられた状態を示す断面図である。
【発明を実施するための形態】
【００１７】
以下、本発明の第１実施形態を図１ないし図７に基づいて説明する。
まず、本発明の基本的な構成を説明し、その後に具体的な内容を説明する。
【００１８】
〔基本的な構成〕
第１実施形態におけるロール紙ホルダ１０は、図１ないし図３に示すように、壁体Ｗに取付けられると共に、上面が開口され且つ内部にロール紙本体１００を回転自在に保持するホルダ本体１２と、このホルダ本体１２に取り付けられると共に、当該ホルダ本体１２のロール紙引出し方向の先端領域Ｔ１にロール紙引き出し用のガイド部１４Ａを有するロール紙ガイド部材１４と、ホルダ本体１２の先端領域Ｔ２に設けられガイド部１４Ａを通過したロール紙１０１を切断する切断刃部１６Ａを有するロール紙切断部材１６と、を備えて構成されている。
そして、ロール紙ガイド部材１４の先端領域Ｔ１と、ホルダ本体１２の先端領域Ｔ２との間に、間隙部Ｓを設けた構成となっている。
【００１９】
ここで、ホルダ本体１２の先端領域Ｔ２は、次に述べる傾斜底面部１２Ｂの先端近傍および傾斜底面部１２Ｂに形成されている折曲げ部１２Ｂａを含む範囲をいう。
これに対して、ロール紙ガイド部材１４の先端領域Ｔ１は、上記先端領域Ｔ２に対応する範囲をいうものとする。
【００２０】
〔具体的な内容〕
図１〜図３に示すように、ホルダ本体１２は、壁体Ｗに取付けられる本体背面部１２Ａと、この本体背面部１２Ａの下端部から上記ガイド部１４Ａ側に向かい、且つ本体背面部１２Ａとの間で鋭角に折り曲げ形成された傾斜底面部１２Ｂとを有する形状に形成されている。
上記ホルダ本体１２は、薄板部材、具体的にはステンレス製の、例えば、２．０ｍｍ程度の薄板で構成されている。そのため、ベンダー加工等で容易に折り曲げ形成できるので、加工性に優れ、また、耐食性、耐熱性等に優れているので、衛生面での効果が得られる。
なお、ホルダ本体１２の板厚は、２．０ｍｍに限定されないが、あまり薄いと強度が弱くなるので、２．０ｍｍ〜３．０ｍｍ程度が好ましい。また、使用材料としては、必ずしも、ステンレス製でなくてもよい。ステンレスと同等の、耐食性、加工性、耐熱性等の特性を持つものであれば他の材料でもよい。
【００２１】
図１に示すように、本体背面部１２Ａは平面矩形形状に形成されており、その表面四隅には、当該本体背面部１２Ａ，１２Ａ、言い換えれば、ホルダ本体１２を壁体Ｗに取付けるための皿ビス用の取付け孔１２Ａａがあけられている。
また、本体背面部１２Ａの幅方向両端部で、且つ上端部には、ロール紙ガイド部材１４を構成する線状部材、例えば、ステンレス鋼線の基端部１４Ｂｂ（図６参照）を挿入して取付けるための係合部１２Ａｂが形成されている。
なお、ステンレス鋼線は外径２・５ｍｍ程度のものが使用されており、上記基端部１４Ｂｂが取付けられる係合部１２ｂは、下部側が開口した、内径が、例えば、３．０ｍｍのパイプ状に形成され、孔は水平方向に向いている。
【００２２】
上記本体背面部１２Ａに対して傾斜底面部１２Ｂは角度α°（図２参照）は、例えば、６５°の傾斜角度で折り曲げ形成され、この折り曲げ部Ｆから、前方、つまり、ロール紙引出し用の前記ガイド部１４Ａ側に向かって傾斜している。
本体背面部１２Ａと傾斜底面部１２Ｂとが上記したような形状に形成されているので、ロール紙本体１００が両者１２Ａ，１２Ｂ間に収容され保持されたとき、ロール紙本体１００の重心位置が折り曲げ部Ｆ側に位置することになる。
その結果、ロール紙１０１を引き出したとき、その引き出し動作に連れてロール紙本体１００が引出されることがなく、引出し作業がスムーズに行われるようになる。
【００２３】
ここで、本体背面部１２Ａと傾斜底面部１２Ｂとの傾斜角度α°は、６５°に限定されないが、９０°に近いと、ロール紙１０１を引き出したとき、ロール紙本体１００が一緒に引っ張られて傾斜底面部１２Ｂを移動してしまう。
これに対して、傾斜角度が６５°以内、例えば５０°位に設定されている場合は、ロール紙１０１の引き出しに連れて一緒に引っ張られることはないが、ロール紙本体１００を収容するためにはホルダ本体１２の高さが高くなり、不安定となる。
そのため、本体背面部１２Ａと傾斜底面部１２Ｂとの傾斜角度は、６５°±５°以内に設定することが好ましい。
【００２４】
また、傾斜底面部１２Ｂの先端領域Ｔ２には、前記ロール紙ガイド部材１４の先端領域Ｔ１から離れる方向に折り曲げられた折曲げ部１２Ｂａが形成されている。この折曲げ部１２Ｂａは、実施形態では水平に形成されている。
そして、この折曲げ部１２Ｂａに、後述するロール紙切断部材１６が取付けられるようになっている。
【００２５】
ここで、図７に基づいて、ロール紙１０１が引出し途中で紙切れを起こさない機構の原理を説明する。
図７に示すように、ホルダ本体１２に装着されたロール紙本体１００（トイレットペーパー）の重心点Ｃは、傾斜底面部１２Ｂの上面から離れており、ロール紙本体１００のホルダ本体１２内における接触箇所は、本体背面部１２Ａの摩擦軽減部位と、傾斜底面部１２Ｂの後部との２箇所となり、曲面のロール紙本体１００は常時落下加速を保持して保たれ、ポテンシャルエネルギーは不安定となり、且つロール紙本体１００の重量も分散されるため、ロール紙１０１の引き出しが容易となる。
ここで、ロール紙本体１００の重量Ｗｇｒは、本体背面部１２Ａに垂直に働く力Ｆ２と、傾斜底面部１２Ｂに垂直に働く力Ｆ１とによって支えられる。そして、その大きさは、本体背面部１２Ａと傾斜底面部１２Ｂとの角度が６８．７°のとき、
Ｆ１＝Ｗgr cos21.3°＝０．９３Ｗgr
Ｆ２＝Ｗgr tan21.3°＝０．３９Ｗgr
で与えられる。
【００２６】
前記ロール紙ガイド部材１４は、前述のように、外径２．５ｍｍ程度のステンレス鋼線で形成されており、図１に示すように、平面視でコ字状に形成されている。
そして、コ字状の平行な二辺がそれぞれ側面部１４Ｂ，１４Ｂを形成し、それらの側面部１４Ｂ，１４Ｂの先端同士を繋いでいる一辺が、前記ガイド部１４Ａを構成している。
【００２７】
すなわち、各側面部１４Ｂ，１４Ｂは、ロール紙ガイド部材１４の基端部１４Ｂａ（図６参照）から知恵の輪状（リング状部）１４Ｂｂに折り曲げられ、かつ先端側が直線状となって、且つ略水平状となって前方に向かって延びている。
なお、直線状部は水平でなくてもよく、水平から僅かに上方に傾いた形状としてもよい。このようにすれば、ロール紙ガイド部材１４の先端領域Ｔ１と傾斜底面部１２Ｂの先端領域Ｔ２との間隙Ｓを広く確保でき、ロール紙１０１の先端を引出すために指を容易に差入れることができるので、ロール紙１０１の先端をより引出し易くなる。
【００２８】
そして、そのような形状の側面部１４Ｂ，１４Ｂが、本体背面部１２Ａと傾斜底面部１２Ｂとの幅方向両側に配置された状態となっており、それぞれの先端部同士が横方向に延びて水平部となっており、この水平部（上記一辺）により上記引出し用のガイド部１４Ａが構成されている。
また、各側面部１４Ｂ，１４Ｂにおいて、リング状部１４Ｂｂは本体背面部１２Ａと傾斜底面部１２Ｂとの内面部に接触した状態となっている。
【００２９】
ロール紙ガイド部材１４の両側面部１４Ｂ，１４Ｂ間の距離は、ロール紙本体部１００の幅寸法より僅かに広く設定されており、これにより、ロール紙本体部１００を容易に収容できるようになっている。
【００３０】
図６に示すように、ロール紙ガイド部材１４における一方側の側面部１４Ｂの基端部１４Ｂａは、側面部１４Ｂのリング状部１４Ｂｂから前記本体背面部１２Ａの上部側に向かって延びる基端領域１４Ｂｃの端部に対して外方に略直角に折り曲げられており、この基端部１４Ｂａが前述のように、前記ホルダ本体１２の係合部１２ｂに差し込まれて取り付けられるようになっている。
ここで、図６には、一方側の基端部１４Ｂａのみが示されているが、他方側の基端部１４Ｂａおよび係合部１２ｂの構成は、一方側と勝手違いであるが、まったく同じである。
【００３１】
ロール紙ガイド部材１４をホルダ本体１２の係合部１２ｂに取付ける際は、作業者は、まず、左右の側面部１４Ｂ，１４Ｂの基端領域１４Ｂｃ，１４Ｂｃを、親指と中指等で挟み込んで矢印Ｙ１方向に、つまり内側方向に押す。
次いで、基端部１４Ｂａ，１４Ｂａの先端部を、パイプ状に形成されている係合部１２ｂに位置合わせして、親指と中指等による挟み込みを開放すると、ロール紙ガイド部材１４のバネ力により、基端領域１４Ｂｃ，１４Ｂｃが矢印Ｙ２方向に、つまり元の形状に戻り基端部１４Ｂａ，１４Ｂａが係合部１２ｂ，１２ｂに挿入され、これにより、ロール紙ガイド部材１４が係合部１２ｂ，１２ｂ、ひいては、ホルダ本体１２に取り付けられる。
【００３２】
このように、ロール紙ガイド部材１４は、係合部１２ｂ，１２ｂを起点にして垂直面内で揺動自在となっている。また、係合部１２ｂ，１２ｂから取付け取外し自在となっている。そのため、ロール紙ガイド部材１４をホルダ本体１２から取外した後、独自に清掃、消毒することもできる。
【００３３】
また、図２に詳細を示すように、ロール紙ガイド部材１４におけるロール紙引出し用の前記ガイド部１４Ａの本体背面部１２Ａからの距離は寸法Ｌ１に設定され、また、本体背面部１２Ａからロール紙切断部材１６の先端までの距離は寸法Ｌ２に設定されており、ロール紙切断部材１６の先端部がガイド部１４Ａよりも突出した状態となっている。
そのため、ロール紙１０１がロール紙本体１００からガイド部１４Ａを経由して前方側に引出されるとき、その略延長上にロール紙切断部材１６が位置しているので、ロール紙切断部材１６までの引き出しが容易である。
【００３４】
さらに、ガイド部１４Ａを含むロール紙ガイド部材１４の先端領域Ｔ１と、ロール紙切断部材１６の上面および傾斜底面部１２Ｂの先端の折曲げ部１２Ｂａを含む傾斜底面部１２Ｂの先端領域Ｔ２との間には、ロール紙切断部材１６の上面とガイド部１４Ａの下面との隙間が所定寸法Ｌ５となった間隙部Ｓが設けられている。
【００３５】
この間隙部Ｓは、図４（Ａ）に示すように、ロール紙１０１を、ガイド部１４Ａから切断刃部１６Ａを経由させて必要量まで引き出し、図４（Ｂ）に示すように、切断したとき、その切断されたロール紙１０１Ａａに対して、次に引出されるロール紙１０１Ａがガイド部１４の上端面部から垂れ下がっているので、その垂れ下がっているロール紙１０１Ａを引き出せるような空間である。
すなわち、使用者は、間隙部Ｓに指を差込み、垂れ下がっているロール紙１０１の先端部１０１Ａの表裏面を、例えば、人差し指と中指とで挟み込んで、ロール切断部材１６側に簡単に引出すことができる。この際、傾斜底面部１２Ｂ等のどこにも触れずに引出すことができる。
【００３６】
前記ロール紙切断部材１６は、例えば、プラスチック等の軟質樹脂材で構成されている。
図５に示すように、ロール紙切断部材１６は、その外周部に切断刃部１６Ａが形成されており、外周部が所定半径Ｒ（例えば、１９０Ｒ）となった円弧状に形成されている。なお、半径Ｒは１９０Ｒに検定されない。
ロール紙切断部材１６は、前記傾斜底面部１２Ｂの先端の折曲げ部１２Ｂａに接着等により取り付けられており、上記切断刃部１６Ａが折曲げ部１２Ｂａの先端から外方に突出して設けられている。
【００３７】
ロール紙切断部材１６の幅寸法は、上記傾斜底面部１２Ｂの折曲げ部１２Ｂａの幅寸法より大きな寸法に形成されている。そして、その幅方向両側に傾斜底面部１２Ｂの幅方向両端部に沿った直線部１６Ａａが形成されており、この直線部１６Ａａには上記切断刃部１６Ａが連続している。
【００３８】
図５（Ａ）に示すように、ロール紙切断部材１６の直線部１６Ａａと円弧状外周の切断刃部１６Ａとが連続しており、両者１６Ａａ，１６ａの交点部Ｐ２にも切断刃部１６Ａが形成されている。
つまり、半径Ｒ形状の外周の端部と直線部１６Ａａとの交点部Ｐ２が角部となっており、その交点部Ｐ２にも切断刃部１６Ａが形成されているので、ロール紙１０１を引出して所定位置で切断するとき、ロール紙１０１の幅方向端部を上記角部となっている交点部Ｐ２に突き当てることで、そこが破れ、ロール紙１０１の切断の起点となる。そのため、以後は切断刃部１６Ａに押し当てて引きちぎればよく、容易に切断することができるようになる。
ロール紙１０１の幅方向一方側端部を交点部Ｐ２に押し当てて引きちぎるとき、当っている部位と円弧状の他の部位とにテコの力が働くので、容易に切断することができる。
【００３９】
ここで、図５（Ｂ）に示すように、ロール紙切断部材１６の直線部１６Ａａに切断刃部１６Ａを形成しない形状とすることもでき、その場合でも、上記と略同様の作用、効果を得ることができる。
なお、本実施形態では、切断刃部１６Ａは、高さが５ｍｍで角度が４５°の形状となっている。しかし、これらの寸法には限定されない。
【００４０】
ロール紙本体１００は、使用されるに連れてロール紙１０１が順次引出されるため、ロール紙本体１００の外径が小さくなって重量も軽くなってしまう。その状態が図３に示されている。
そのような状態のロール紙本体１００は、徐々に傾斜底面部１２Ｂに沿って本体背面部１２Ａ側に移動し、傾斜底面部１２Ｂと本体背面部１２Ａとの前記折曲げ部Ｆ側に挟み込まれた状態となる。
【００４１】
しかし、上記のような状態で、ロール紙本体１００からロール紙１０１の先端部が引出されるとき、残り少なくなって、また、軽くなったロール紙本体１００も、その引き出し動作に連れて引出されてしまう。
そのため、使用者は、一方の手でホルダ本体１２内の小さくなったロール紙本体１００を押えておいて、他方の手で切断しなければならない。そうすると、ホルダ本体１２のロール紙ガイド部材１４や、傾斜底面部１２Ｂ等に触れてしまい、衛生面から好ましくない結果を招くおそれが生じる。
【００４２】
そこで、本実施形態では、上記のような事態を生じないようにするため、図１〜図３に示すように、傾斜底面部１２Ｂと本体背面部１２Ａとのロール紙本体１００当接領域Ｔ３に、摩擦係数の大きな摩擦部材１８を設けた構成とした。
すなわち、当接領域Ｔ３は、傾斜底面部１２Ｂと本体背面部１２Ａとの交点（折曲げ部Ｆの起点）Ｐ１から、傾斜底面部１２Ｂ、本体背面部１２Ａの先端部側に向かってそれぞれ寸法Ｌ３の地点までの範囲とされ、この当接領域Ｔ３に、上記摩擦部材１８が設けられている。
【００４３】
上記寸法Ｌ３の範囲は、ロール紙本体１００の外径寸法が、例えば５０ｍｍとなっている場合、その半径の交点Ｐ１側の外周部の２箇所が接触する範囲である。
また、摩擦部材１８としては、例えば、工業用のアンチスリップ材の一種としてのセーフステップ（商品名）が用いられている。このセーフステップは、エアゾール式の吹き付けるタイプのものであり、施工が簡単であるうえ、スプレー後が半透明なので、外観が気になる場所に最適である。
当接領域Ｔ３にセーフステップ１８が塗布されているので、使用されて外径が小さくなったロール紙本体１００が本体背面部１２Ａと傾斜底面部１２Ｂとの谷間に入り込み、これにより、摩擦力が大きくなり、ロール紙１０１の切断に必要な抵抗力を確保することができる。その結果、外径が小さくなったロール紙本体１００でも容易に引出すことができる。
【００４４】
なお、摩擦部材１８は、使用されて外径が小さくなったロール紙本体１００が容易に引出されないようにできる摩擦係数の部材であれば、上記商品に限らず、例えば、耐食性に優れた樹脂やフィルム状部材を使用してもよい。
また、傾斜底面部１２Ｂと本体背面部１２Ａとのロール紙本体１００当接領域Ｔ３に、例えば、サンドブラスト加工を施すことで摩擦力を高めてもよい。
さらに、セーフステップを塗布した後に、引出される側の端部にゴム系の所定寸法の樹脂を、所定間隔で塗っておいてもよい。
【００４５】
次に、以上のような構成のロール紙ホルダ１０の使用方法を説明する。
使用者は、まず使用に先立って、ロール紙ホルダ１０のホルダ本体１２内にロール紙本体１００を、ロール紙１０１が下側から引き出される状態で設置（セット）する。
ここで、ロール紙本体１００には蓋がないため、ホルダ本体１２の上面の開口から手でロール紙本体１００を簡単に設置することができる。
【００４６】
また、ロール紙本体１００の設置に際して、ロール紙本体１００から引き出されるロール紙先端部１０１Ａは、ロール紙本体１００の底側から前方斜め上方へ引き出され、続いてロール紙引出し用のガイド部１４Ａの上面部を経由するようにしてロール紙切断部材１６のある前方へ引き出される。
【００４７】
引き出されたロール紙１０１が、傾斜底面部１２Ｂ側からロール紙引出し用のガイド部１４Ａの上面部に案内されるので、ロール紙１０１の引き出しの際に、ロール紙１０１が前後に揺れ動いたりしない安定した挙動状態で引き出しができるようになっている。
【００４８】
ホルダ本体１２内に未使用のロール紙本体１００が設置された場合、図１に示すように、このロール紙本体１００の背面側（背面側外周部分）が本体背面部１２Ａの表面に当接しつつ、ロール紙本体１００の底面側（底面側外周部分）が傾斜底面部１２Ｂの前側部分で保持される。
【００４９】
続いて、使用者が、ロール紙本体１００の先端部のロール紙１０１を掴んで未使用状態のロール紙１０１を引き出すと、ロール紙１０１の先端部１０１Ａが、傾斜底面部１２Ｂの先端領域Ｔ２に位置している引出し用のガイド部１４Ａの上端面に向かって引き出されると共に、引き出しにより回転したロール紙本体１００の本体背面部１２Ａと傾斜底面部１２Ｂの前側部分との間に、ロール紙本体１００の自重による摩擦力が生じる。
また、ロール紙本体１００の背面側外周部分と傾斜底面部の後側部分との間にも摩擦力が生じる。
【００５０】
このため、生じた各摩擦力によりロール紙本体１００の転出加速が抑制され、ロール紙本体１００の前方への飛び出しが防がれると共に、滑らかで安定した紙送り速度を実現し、例えば、片手だけでも簡単にロール紙１０１の先端部１０１Ａを引き出すことができる。
【００５１】
引っ張り出されたロール紙１０１の先端部１０１Ａの切断に際しては、まず、ロール紙ガイド部材１４の上端面部を経由して延びるロール紙１０１の先端部１０１Ａを、切断刃部１６Ａの交点Ｐ２の角部に押し当てて、その部分を突き破るようにし、次に、ロール紙１０１の最先端部１０１Ａａを斜め後下方に押し切る又は斜め後下方に引き切る。
【００５２】
切断された先端部１０１Ａａに対して次に引出されるロール紙１０１の先端部１０１Ａは、図４（Ｂ）に示すように、切断刃部１６Ａの部位まで引出されているロール紙１０１の先端部１０１Ａが、上記ガイド部１４の上端面部から垂れ下がることになる。
ここで、次にこの新たなロール紙１０１の先端部１０１Ａを引き出す際、使用者は、前記間隙部Ｓに指を差込み、垂れ下がっているロール紙１０１の先端部１０１Ａの表裏面を、例えば、人差し指と中指とで挟み込んで、ロール切断部材１６側に簡単に引出すことができる。
【００５３】
（第１実施形態の効果）
以上のような構成の第１実施形態によれば、次のような効果を得ることができる。
（１）ロール紙ガイド部材１４の先端領域Ｔ１と、ホルダ本体１２のロール紙引出し方向の先端領域Ｔ２との間に間隙部Ｓが設けられ、ロール紙切断部材１６の切断刃部１６Ａがホルダ本体１２の先端領域Ｔ２に設けられているので、引出されたロール紙１０１の先端部１０１Ａを切断した後、次の先端部１０１Ａを引き出す際に、間隙部Ｓに指を差込み、垂れ下がっているロール紙１０１の先端部１０１Ａの表裏面を、例えば、人差し指と中指とで挟み込んで、ロール切断部材１６側に簡単に引出すことができる。
そのため、ホルダ本体１２やガイド部１４Ａ等のどこにも触れずにロール紙１０１を引き出すことができる。その結果、ロール紙ホルダ１０を病院等の医療施設に設置した場合でも、例えば、何らかの菌を持っている入院患者がトイレを使用するときでも、何らかの菌がそれらの各部位に付着するおそれがなくなり、衛生面に優れたロール紙ホルダ１０として、医療施設等に提供することができる。
【００５４】
（２）ロール紙ホルダ１０が、ホルダ本体１２と、このホルダ本体１２に取付けられたロール紙ガイド部材１４と、ホルダ本体１２に取付けられたロール紙切断部材１６とを備えて構成され、ホルダ本体１２がステンレス製の薄板で、ロール紙ガイド部材１４が細径のステンレス鋼線で、それぞれ形成されているので、ロール紙ホルダ１０が軽量となり、例えば、全体が樹脂製となっているホルダ本体に比べて大幅な軽量化を図ることができる。
【００５５】
（３）本体背面部１２Ａと、この本体背面部１２Ａと一体的に折り曲げ形成された傾斜底面部１２Ｂとで形成されたホルダ本体１２が、ステンレス製の、例えば、２．０ｍｍ程度の薄板で形成されており、この加工は、ベンダー加工で容易にできるので、加工性に優れ、また、耐食性、耐熱性等に優れたものとなり、さらに、衛生面でも優れた効果を得ることができる。
【００５６】
（４）ロール紙ガイド部材１４が、左右の両側面部１４Ｂ，１４Ｂと、ガイド部１４Ａとで形成され、これらが線状部材であるステンレス製の、例えば、外径２・５ｍｍの鋼線で形成されているので、大幅な軽量化を図ることができる。また、加工性に優れており、さらに、耐食性、耐熱性等に優れさたものとなり、さらに、衛生面でも優れた効果を得ることができる。
【００５７】
（５）ロール紙ガイド部材１４が、ロール紙ガイド部材１４は、ホルダ本体１２の係合部１２ｂ，１２ｂを起点にして垂直面内で揺動自在となっており、また、係合部１２ｂ，１２ｂから取付け取外し自在となっている。そのため、ロール紙ガイド部材１４を取り外して、単独で清掃、消毒することができるので、衛生面で優れたものとなる。
【００５８】
（６）ロール紙ガイド部材１４のホルダ本体１２への取付けは、側面部１４Ｂ，１４Ｂの基端部領域１４Ｂｃを押さえて基端部１４Ｂａ，１４Ｂａの先端を係合部１２Ａｂ，１２Ａｂに位置合わせした後、押えていた指を離すとロール紙ガイド部材１４のばね性により、基端部１４Ｂａ，１４Ｂａと係合部１２Ａｂ，１２Ａｂとを係合させるだけで行うことができる。また、取外しは、逆の動作で行うことができる。
その結果、ロール紙ガイド部材１４の着脱が容易となるので、万が一、ロール紙ガイド部材１４が破損した場合でも、ホルダ本体１２は取り換えず、ロール紙ガイド部材１４だけを容易に新しいものに交換することができるので、経済的にも有利である。
【００５９】
（７）ロール紙切断部材１６の切断刃部１６Ａが、傾斜底面部１２Ｂの先端の折曲げ部１２Ｂａから突出した状態で取付けられているので、ロール紙１０１を切断する際に、そのロール紙１０１が傾斜底面部１２Ｂの折曲げ部１２Ｂａの先端に邪魔されないので、容易に切断することができる。
【００６０】
（８）ロール紙切断部材１６の切断刃部１６Ａの外周が円弧状に形成されているので、なっており、ロール紙１０１の切断に際してそのロール紙１０１を切断刃部１６Ａに押し当てて引きちぎるとき、テコの力が働き、且つロール紙１０１の全体が切断刃部１６Ａに均等に当たるので、どこからでも容易に切断することができる。
【００６１】
（９）ロール紙切断部材１６の直線部１６Ａａと円弧状外周の切断刃部１６Ａとの交点部Ｐ２が角部となっており、その角部にも切断刃部１６Ａが形成されているので、ロール紙１０１を引出して所定位置で切断するとき、ロール紙１０１の幅方向端部を角部となっている交点部Ｐ２に突き当てることで、そこが破れ、ロール紙１０１の切断の起点となる。そのため、以後は切断刃部１６Ａに押し当てて引きちぎればよく、容易に切断することができる。
【００６２】
（１０）本体背面部１２Ａと傾斜底面部１２Ｂとの折曲げ部Ｆからそれぞれの端部側に至る寸法Ｌ３，Ｌ３の範囲に、摩擦力の大きなアンチスリップ材であるセーフステップ１８が設けられているので、ロール紙本体１００からロール紙１０１の先端部１０１Ａを引き出すとき、増加した摩擦力の下で摺動することで、ロール紙本体１００が軽くなっても、ロール紙１０１の引き出し力に連れてロール紙本体１００も同時に移動することなく、滑らかで安定した紙送り速度を実現し、片手だけでも簡単にロール紙１０１の先端部１０１Ａを引き出すことができる。
【００６３】
次に、図８〜図１１に基づいて、本発明に係るロール紙ホルダの第２実施形態を説明する。
本第２実施形態のロール紙ホルダ２０は、ホルダ本体２２と、このホルダ本体２２に設けられたロール紙ガイド部材２４と、上記ホルダ本体２２を壁体Ｗに取付けるための本体取付け用基板３０とを備えて構成されており、ホルダ本体２２は、本体取付け用基板３０を介して壁体Ｗに着脱自在に取付けるようになっている。
【００６４】
まず、ホルダ本体２２の説明をする。
ホルダ本体２２は、前記第１実施形態のホルダ本体１２と、形状および使用材料等全く同じである。そのため、それらについての詳細な説明は省略する。
ただし、ホルダ本体２２は、上記のように本体取付け用基板３０を介して壁体Ｗに取付けられるようになっているため、ホルダ本体２２には、第１実施形態のホルダ本体１２に形成されている取付け孔１２Ａａに相当する取付け孔は形成されていない。
【００６５】
ホルダ本体２２は、本体背面部２２Ａと、傾斜底面部２２Ｂと、傾斜底面部２２Ｂの先端領域Ｔ２に設けられた前記ロール紙切断部材１６とを備えて構成されている。
本体背面部２２Ａの幅方向両端部には、前記係合部１２Ａｂと同じ構成の２２Ａｂ，２２Ａｂが形成されている。
【００６６】
次に、ロール紙ガイド部材２４の説明をする。
ロール紙ガイド部材２４は、その側面部２４Ｂ，２４Ｂの形状が、第１実施形態のロール紙ガイド部材１２の側面部１４Ｂ，１４Ｂの形状と異なるが、使用材料等も含めて基本構成は同じである
【００６７】
すなわち、ロール紙ガイド部材２４の側面部２４Ｂ，２４Ｂは、係合部２２Ａｂ，２２Ａｂに支持された基端部からロール紙切断部材１６側に向かう先端側の途中に、大小２つのリング状部２４Ｂａ，２４Ｂｂを有するメガネのフレーム形状に形成されている。
また、側面部２４Ｂ，２４Ｂの先端はロール紙１０１の引き出し用のガイド部２４Ａとなっている。
【００６８】
図１０に示すように、本体取付け用基板３０はホルダ本体２２と同様にステンレス製の薄板部材で平面矩形形状に形成されている。
本体取付け用基板３０には、その幅方向両端部にそれぞれ上下方向にわたってガイド溝３２Ｃ，３２Ｃが形成されている。
【００６９】
すなわち、ガイド溝３２Ｃ，３２Ｃは、本体取付け用基板３０の幅方向両端部を当該本体取付け用基板３０の前面側に略半円状に折り曲げて形成されている。
そして、これらのガイド溝３２Ｃ，３２Ｃに、ホルダ本体２２の本体背面部２２Ａの両端部が挿入され、かつスライド自在となっている。
それぞれのガイド溝３２Ｃ，３２Ｃは、上下方向に２つに分かれており、その中間部分にガイド溝３２Ｃ，３２Ｃの外方に突出した四角形形状の突起部３２Ａが形成されている。この突起部３２Ａにボルト取付け孔３２Ａａがあけられており、このボルト取付け孔３２Ａａに、縦叔母コンクリート用のボルトを挿入すると共にねじ込んで本体取付け用基板３０を壁体Ｗに取付け固定するようになっている。
【００７０】
（第２実施形態の効果）
以上のような構成の第２実施形態によれば、前記（１）〜（１０）と略同様の効果の他、次のような効果を得ることができる。
（１１）ホルダ本体２２が本体取付け用基板３０を介して壁体Ｗに着脱自在に取付けられるようになっているので、ホルダ本体２２を定期的に取外して清掃したり、消毒したりすることができる。その結果、衛生面で優れたロール紙ホルダ２０とすることができる。
【００７１】
（１２）ロール紙ガイド部材２４の側面部２４Ｂ，２４Ｂの形状が、大小２つのリング状部２４Ｂａ，２４Ｂｂを有するメガネのフレーム形状に形成されているので、デザイン的におしゃれな雰囲気を感じることができ、入院患者、特に、女性の入院患者にとってホッとする時間を得ることができる。
【００７２】
（１３）ホルダ本体２２を本体取付け用基板３０の両端部のガイド溝３２Ｃ，３２Ｃにスライドさせて取付けるとき、本体背面部２２Ａに設けられている係合部２２Ａａが、ガイド溝３２Ｃ，３２Ｃの上端部に当接してストッパの役割を果たし、それ以上のスライドが防止されるので、ホルダ本体２２が抜け落ちることがない。
【００７３】
以上、上記各実施形態を参照して本発明を説明したが、本発明は上記各実施形態に限定されるものではない。本発明の構成や詳細については、当業者が理解し得るさまざまな変更を加えることができる。また、本発明には、上記各実施形態の構成の一部又は全部を相互に適宜組み合わせたものも含まれる。
【００７４】
例えば、前記第２実施形態では、ホルダ本体２２が本体取付け用基板３０を介して壁体Ｗに取付けられるようになっているが、これに限らない。予め壁体Ｗに取付け固定された本体取付け用基板３０に、前記第１実施形態のホルダ本体１２をスライドさせて取付け固定するようにしてもよい。
【００７５】
また、前記各実施形態では、ロール紙切断部材１６は、傾斜底面部１２Ｂの折り曲げ部１２Ｂａ、および傾斜底面部２２Ｂの折り曲げ部２２Ｂａにそれぞれ接着等で取付けられているが、これに限らない。例えば、ロール紙切断部材１６を、折り曲げ部１２Ｂａ，２２Ｂａに、皿ビス等で着脱自在に取付けるようにしてもよい。このようにすれば、切断刃部１６Ａが長期間の使用により、すり減って切れ味が鈍ったとき、新しいロール紙切断部材１６と交換することができる。
【００７６】
また、前記第１実施形態のロール紙ガイド部材１４、第２実施形態のロール紙ガイド部材２４は、それぞれの基端部１４Ｂａ等が、ホルダ本体１２，２２の係合部１２Ａｂ，２２Ａｂに着脱自在に取付けられているが、これに限らない。基端部１４Ｂａ等が係合部１２Ａｂに挿入された後、点溶接等で固定してもよい。そして、このようにすれば、ロール紙ガイド部材１４等がロール紙１０１の引出し時にも動かないので、安定して引出すことができる。
【００７７】
さらに、前記第１実施形態のロール紙ガイド部材１４の側面部１４Ｂ，１４Ｂのリング部１４Ｂｂ，１４Ｂｂ、および第２実施形態のロール紙ガイド部材２４の側面部２４Ｂ，２４Ｂの各リング部２４Ｂａ，２４Ｂｂの下面部は、それぞれ傾斜底面部１２Ｂ，２２Ｂの端部底面上に載置された状態で設けられているが、これに限らない。
それぞれの当接部を点溶接等で固定してもよい。そして、このようにすれば、ロール紙ガイド部材１４等がロール紙１０１の引出し時にも動かないので、安定して引出すことができる。
【００７８】
さらに、前記各実施形態では、ロール紙切断部材１６の切断刃部１６Ａの外周が所定半径Ｒの円弧状に形成されているが、これに限らず、ロール紙切断部材１６の幅方向の少なくとも両側のみを所定半径Ｒの円弧状とし、幅方向中央部を直線状にすると共に、その直線状にも、切断刃部１６Ａを形成するようにしてもよい。
このようにすると、切断刃部１６Ａが使用者側から少しでも離れる構成となっており、安全性が確保でき、狭いトイレ室でも、安心して使用することができる。
【符号の説明】
【００７９】
１０    ロール紙ホルダ
１２    ホルダ本体
１２Ａ  本体背面部
１２Ｂ  傾斜底面部
１４    ロール紙ガイド部材
１４Ａ  ガイド部
１４Ｂ  側面部
１６    ロール紙切断部材
１６Ａ  切断刃部
１８    摩擦部材
２２    ホルダ本体
２２Ａ  本体背面部
２２Ｂ  傾斜底面部
２４    ロール紙ガイド部材
２４Ａ  ガイド部
２４Ｂ  側面部
３０    本体取付け用基板
３２    本体部
３２Ｃ  ガイド溝
Ｔ１    ロール紙ガイド部材の先端領域
Ｔ２    ホルダ本体の先端領域
Ｓ      間隙部
１００  ロール紙本体
１０１  ロール紙
１０１Ａ  ロール紙先端部
１０１Ａａ  切断されたロール紙最先端部
【図１】
2020031945.tif 000003
【図２】
2020031945.tif 000004
【図３】
2020031945.tif 000005
【図４】
2020031945.tif 000006
【図５】
2020031945.tif 000007
【図６】
2020031945.tif 000008
【図７】
2020031945.tif 000009
【図８】
2020031945.tif 000010
【図９】
2020031945.tif 000011
【図１０】
2020031945.tif 000012
【図１１】
2020031945.tif 000013
【手続補正書】
【提出日】平成31年4月17日(2019.4.17)
【手続補正１】
【補正対象書類名】特許請求の範囲
【補正対象項目名】全文
【補正方法】変更
【補正の内容】
【特許請求の範囲】
【請求項１】
壁体に取付けられると共に上面が開口され且つ内部にロール紙本体を回転自在に保持するホルダ本体と、
このホルダ本体に取り付けられると共に当該ホルダ本体のロール紙引出し方向先端領域にロール紙引き出し用のガイド部を有するロール紙ガイド部材と、
前記ホルダ本体の先端領域に設けられ前記ガイド部を通過した前記ロール紙を切断する切断刃部を有するロール紙切断部材と、を備えたロール紙ホルダであって、
前記切断刃部は前記ロール紙切断部材の前記ロール紙引出し側端部に設けられ、
前記ロール紙ガイド部材の先端領域と前記ホルダ本体の先端領域との間に間隙部を設けたことを特徴とするロール紙ホルダ。
【請求項２】
請求項１に記載のロール紙ホルダにおいて、
前記ホルダ本体を、薄板部材で構成された本体背面部と、この本体背面部の下端部から前記先端領域に向かって延び且つ前記本体背面部との間で鋭角に折り曲げ形成された傾斜底面部とを有する形状とし、
前記ロール紙ガイド部材を線状部材で形成したことを特徴とするロール紙ホルダ。
【請求項３】
請求項２に記載のロール紙ホルダにおいて、
前記ロール紙切断部材を、当該ロール紙切断部材の前記切断刃部が前記傾斜底面部の先端から突出するように前記傾斜底面部の先端領域に取付けると共に、前記ロール紙切断部材の外周の少なくとも幅方向両側を円弧状に形成したことを特徴とするロール紙ホルダ。
【請求項４】
請求項２に記載のロール紙ホルダにおいて、
前記ロール紙切断部材を、当該ロール紙切断部材の前記切断刃部が前記傾斜底面部の先端から突出するように前記傾斜底面部の先端領域に取付けると共に、前記ロール紙切断部材は、当該ロール紙切断部材の外周の幅方向両側に前記傾斜底面部の幅方向両端部に沿った直線部とこの直線部に連続する円弧状外周とを備え、この円弧状外周に前記切断刃部が連続していることを特徴とするロール紙ホルダ。
【請求項５】
請求項３または請求項４に記載のロール紙ホルダにおいて、
前記傾斜底面部の前記先端領域は、前記ロール紙ガイド部材の先端領域から離れる方向に折り曲げられ、この折曲げ部に前記ロール紙切断部材が取り付けられていることを特徴とするロール紙ホルダ。
【請求項６】
請求項２ないし請求項５の何れか１つに記載のロール紙ホルダにおいて、
前記本体背面部と傾斜底面部との交点の折曲げ部からそれぞれ前記本体背面部と傾斜底面部との端部側に向かう途中までの表面に、使用されて外径が小さくなった前記ロール紙本体の外周部と接触し且つ当該ロール紙本体から引出すロール紙の引き出し力を抑制する摩擦部材を設けたことを特徴とするロール紙ホルダ。
【請求項７】
請求項１ないし請求項６の何れか１つに記載のロール紙ホルダにおいて、
前記ホルダ本体と、このホルダ本体を前記壁体に取付ける本体取付け部材とを備えて構成したことを特徴とするロール紙ホルダ。
【請求項８】
請求項７に記載のロール紙ホルダにおいて、
前記本体取付け部材の幅方向両端部には、前記ホルダ本体の前記本体背面部をスライド自在にガイドするガイド溝が上下方向にわたって形成され、
前記本体背面部を前記ガイド溝に係合させたとき前記本体背面部に予め形成されている係合部が前記ガイド溝の上端に当接することを特徴とするロール紙ホルダ。
【手続補正２】
【補正対象書類名】明細書
【補正対象項目名】０００７
【補正方法】変更
【補正の内容】
【０００７】
【特許文献１】特開平９−２８６１５号公報
【特許文献２】特許第６０７２８６４号公報
【手続補正３】
【補正対象書類名】明細書
【補正対象項目名】００２１
【補正方法】変更
【補正の内容】
【００２１】
図１に示すように、本体背面部１２Ａは平面矩形形状に形成されており、その表面四隅には、当該本体背面部１２Ａ，１２Ａ、言い換えれば、ホルダ本体１２を壁体Ｗに取付けるための皿ビス用の取付け孔１２Ａａがあけられている。
また、本体背面部１２Ａの幅方向両端部で、且つ上端部には、ロール紙ガイド部材１４を構成する線状部材、例えば、ステンレス鋼線の基端部１４Ｂｂ（図６参照）を挿入して取付けるための係合部１２Ａｂが形成されている。
なお、ステンレス鋼線は外径２．５ｍｍ程度のものが使用されており、上記基端部１４Ｂｂが取付けられる係合部１２ｂは、下部側が開口した、内径が、例えば、３．０ｍｍのパイプ状に形成され、孔は水平方向に向いている。
【手続補正４】
【補正対象書類名】明細書
【補正対象項目名】００３８
【補正方法】変更
【補正の内容】
【００３８】
図５（Ａ）に示すように、ロール紙切断部材１６の直線部１６Ａａと円弧状外周の切断刃部１６Ａとが連続しており、両者１６Ａａ，１６Ａの交点部Ｐ２にも切断刃部１６Ａが形成されている。
つまり、半径Ｒ形状の外周の端部と直線部１６Ａａとの交点部Ｐ２が角部となっており、その交点部Ｐ２にも切断刃部１６Ａが形成されているので、ロール紙１０１を引出して所定位置で切断するとき、ロール紙１０１の幅方向端部を上記角部となっている交点部Ｐ２に突き当てることで、そこが破れ、ロール紙１０１の切断の起点となる。そのため、以後は切断刃部１６Ａに押し当てて引きちぎればよく、容易に切断することができるようになる。
ロール紙１０１の幅方向一方側端部を交点部Ｐ２に押し当てて引きちぎるとき、当っている部位と円弧状の他の部位とにテコの力が働くので、容易に切断することができる。
【手続補正５】
【補正対象書類名】明細書
【補正対象項目名】００４０
【補正方法】変更
【補正の内容】
【００４０】
ロール紙本体１００は、使用されるに連れてロール紙１０１が順次引出されるため、ロール紙本体１００の外径が小さくなって重量も軽くなってしまう。その状態が図３に示されている。
そのような状態のロール紙本体１００は、徐々に傾斜底面部１２Ｂに沿って本体背面部１２Ａ側に移動し、傾斜底面部１２Ｂと本体背面部１２Ａとの折曲げ部Ｆ側に挟み込まれた状態となる。
【手続補正書】
【提出日】令和1年8月26日(2019.8.26)
【手続補正１】
【補正対象書類名】特許請求の範囲
【補正対象項目名】全文
【補正方法】変更
【補正の内容】
【特許請求の範囲】
【請求項１】
壁体に取付けられると共に上面が開口され且つ内部にロール紙本体を回転自在に保持するホルダ本体と、
このホルダ本体に取り付けられると共に当該ホルダ本体のロール紙引出し方向先端領域にロール紙引き出し用のガイド部を有するロール紙ガイド部材と、
前記ホルダ本体の先端領域に設けられ前記ガイド部を通過した前記ロール紙を切断する切断刃部を有するロール紙切断部材と、を備えたロール紙ホルダであって、
前記ホルダ本体を、薄板部材で構成されかつ前記壁体に取付けられる本体背面部と、この本体背面部の下端部から前記先端領域に向かって延び且つ前記本体背面部との間で鋭角に折り曲げ形成された傾斜底面部とを有する形状とし、
前記ロール紙ガイド部材を線状部材で形成し、
前記切断刃部は前記ロール紙切断部材の前記ロール紙引出し側端部に設けられ、
前記ロール紙ガイド部材の先端領域と前記ホルダ本体の先端領域との間に間隙部を設けたことを特徴とするロール紙ホルダ。
【請求項２】
請求項１に記載のロール紙ホルダにおいて、
前記ロール紙切断部材を、当該ロール紙切断部材の前記切断刃部が前記傾斜底面部の先端から突出するように前記傾斜底面部の先端領域に取付けると共に、前記ロール紙切断部材の外周の少なくとも幅方向両側を円弧状に形成したことを特徴とするロール紙ホルダ。
【請求項３】
請求項１に記載のロール紙ホルダにおいて、
前記ロール紙切断部材を、当該ロール紙切断部材の前記切断刃部が前記傾斜底面部の先端から突出するように前記傾斜底面部の先端領域に取付けると共に、前記ロール紙切断部材は、当該ロール紙切断部材の外周の幅方向両側に前記傾斜底面部の幅方向両端部に沿った直線部と、この直線部に連続する円弧状外周とを備え、この円弧状外周に前記切断刃部が連続していることを特徴とするロール紙ホルダ。
【請求項４】
請求項２または請求項３に記載のロール紙ホルダにおいて、
前記傾斜底面部の前記先端領域は、前記ロール紙ガイド部材の先端領域から離れる方向に折り曲げられ、この折曲げ部に前記ロール紙切断部材が取り付けられていることを特徴とするロール紙ホルダ。
【請求項５】
請求項１ないし請求項４の何れか１つに記載のロール紙ホルダにおいて、
前記本体背面部と傾斜底面部との交点の折り曲げ部からそれぞれ前記本体背面部と傾斜底面部との端部側に向かう途中までの表面に、使用されて外径が小さくなった前記ロール紙本体の外周部と接触し且つ当該ロール紙本体から引出すロール紙の引き出し力を抑制する摩擦部材を設けたことを特徴とするロール紙ホルダ。
【請求項６】
請求項１ないし請求項５の何れか１つに記載のロール紙ホルダにおいて、
前記ホルダ本体と、このホルダ本体を前記壁体に取付ける本体取付け部材とを備えて構成したことを特徴とするロール紙ホルダ。
【請求項７】
請求項６に記載のロール紙ホルダにおいて、
前記本体取付け部材の幅方向両端部には、前記ホルダ本体の前記本体背面部をスライド自在にガイドするガイド溝が上下方向にわたって形成され、
前記本体背面部を前記ガイド溝に係合させたとき前記本体背面部に予め形成されている係合部が前記ガイド溝の上端に当接することを特徴とするロール紙ホルダ。
【手続補正２】
【補正対象書類名】明細書
【補正対象項目名】００１４
【補正方法】変更
【補正の内容】
【００１４】
上記の目的を達成するために、本発明に係るロール紙ホルダは、壁体に取付けられると共に上面が開口され且つ内部にロール紙本体を回転自在に保持するホルダ本体と、
このホルダ本体に取り付けられると共に当該ホルダ本体のロール紙引出し方向先端領域にロール紙引き出し用のガイド部を有するロール紙ガイド部材と、
前記ホルダ本体の先端領域に設けられ前記ガイド部を通過した前記ロール紙を切断する切断刃部を有するロール紙切断部材と、を備えたロール紙ホルダであって、
前記ホルダ本体を、薄板部材で構成されかつ前記壁体に取付けられる本体背面部と、この本体背面部の下端部から前記先端領域に向かって延び且つ前記本体背面部との間で鋭角に折り曲げ形成された傾斜底面部とを有する形状とし、
前記ロール紙ガイド部材を線状部材で形成し、
前記切断刃部は前記ロール紙切断部材の前記ロール紙引出し側端部に設けられ、
前記ロール紙ガイド部材の先端領域と前記ホルダ本体の先端領域との間に間隙部を設けたことを特徴とする。
【手続補正３】
【補正対象書類名】明細書
【補正対象項目名】００１５
【補正方法】変更
【補正の内容】
【００１５】
本発明のロール紙ホルダによれば、ロール紙ガイド部材の先端領域と、ホルダ本体のロール紙引出し方向先端領域との間に間隙部が設けられ、ロール紙切断部材の切断刃部がホルダ本体の先端領域に設けられているので、引出されたロール紙の先端部を切断した後、次の先端部を引き出す際に、間隙部に指を差込み、垂れ下がっているロール紙の先端部の表裏面を、例えば、人差し指と中指とで挟み込んで、ロール紙切断部材側に簡単に引出すことができる。
このように、ホルダ本体やガイド部等のどこにも触れずにロール紙を引き出すことができるので、このようなロール紙ホルダを病院等の医療施設に設置した場合、例えば、何らかの菌を保有する入院患者がトイレを使用するときでも、何らかの菌がそれらの各部位に付着するおそれがなくなる。その結果、衛生面に優れたロール紙ホルダとして、医療施設等に提供することができる。
また、ホルダ本体が、本体背面部と、傾斜底面部とを有する形状となっており、ロール紙本体が本体背面部と傾斜底面部間に収容され保持されたとき、ロール紙本体の重心位置が折り曲げ部側に位置する。その結果、ロール紙を引き出したとき、その引き出し動作に連れてロール紙本体が引出されることがなく、引出し作業がスムーズに行われるようになる。
さらに、ホルダ本体が薄板部材で、ロール紙ガイド部材が線状部材で、それぞれ形成されているので、ロール紙ホルダの軽量化を図ることができる。